(57)【要約】      （修正有）【課題】瞬時電圧低下が発生した場合でも燃焼を継続することができるボイラを提供する。【解決手段】本発明のボイラは、ボイラ本体１１と、ボイラ本体１１に空気を供給する送風機１２と、送風機１２の回転数を制御するインバータ１３と、インバータ１３に電力を供給する電源１４と、インバータ１３の出力を制御すると共に電源１４の瞬時電圧低下を検知する制御部１５と、電源１４の瞬時電圧低下が生じた場合に制御部１５に電力を供給するバックアップ電源１６と、を備える。制御部１５は、電源１４の瞬時電圧低下を検知したとき、送風機１２をフリーラン状態とし、電源１４瞬時電圧低下から復帰した後に送風機１２の回転数を上げる。【選択図】図１
2017139904.tif 000002
【特許請求の範囲】
【請求項１】
ボイラ本体と、
前記ボイラ本体に空気を供給する送風機と、
前記送風機の回転数を制御するインバータと、
前記インバータに電力を供給する電源と、
前記インバータの出力を制御すると共に前記電源の瞬時電圧低下を検知する制御部と、
前記電源の瞬時電圧低下が生じた場合に前記制御部に電力を供給するバックアップ電源と、
を備え、
前記制御部は、前記電源の瞬時電圧低下を検知したとき、前記送風機をフリーラン状態とし、前記電源の瞬時電圧低下から復帰した後に前記送風機の回転数を上げる、ボイラ。
【請求項２】
前記制御部は、前記電源の出力電圧が所定の閾値より小さいことを検知することによって、前記電源の瞬時電圧低下を検知する、請求項１に記載のボイラ。
【請求項３】
前記制御部は、前記電源の電圧復帰後から所定の時間経過後に、前記インバータの出力を制御することによって前記送風機の回転数を上げる、請求項２に記載のボイラ。
【請求項４】
前記制御部は、前記インバータの動作不可信号を検知することによって、前記電源の瞬時電圧低下を検知する、請求項１に記載のボイラ。
【請求項５】
前記制御部は、前記インバータの前記動作不可信号を検知してから所定の時間が経過した後、前記インバータの出力を制御することによって前記送風機の回転数を上げる、請求項４に記載のボイラ。
【発明の詳細な説明】
【技術分野】
【０００１】
本発明は、ボイラに関する。
【背景技術】
【０００２】
ボイラにおいて、燃焼中に瞬間的な電圧低下（以下、「瞬時電圧低下」と称する）が発生した場合、燃焼を中断し、プレパージから再起動を実施するものが知られている。例えば、特許文献１には、瞬時電圧低下が生じた場合に、燃焼を停止した後、自動的に運転を再開するボイラの安全制御装置が開示されている。
【０００３】
特許文献１に開示された装置では、瞬時停電を検知すると、強制的にボイラの燃焼を停止させて燃焼待機状態にしている。また、特許文献１の装置では、瞬時停電から復帰した後、燃焼室内の掃気を行い、掃気終了時に熱要求信号の有無に基づいて、ボイラの燃焼を再開している。
【先行技術文献】
【特許文献】
【０００４】
【特許文献１】特許第２５５１２９９号公報
【発明の概要】
【発明が解決しようとする課題】
【０００５】
近年、ボイラの燃焼中に瞬時電圧低下が発生した場合でも、燃焼を継続することができるボイラが求められている。
【０００６】
本発明は、瞬時電圧低下が発生した場合でも燃焼を継続することができるボイラを提供することを目的とする。
【課題を解決するための手段】
【０００７】
本発明の一態様であるボイラは、ボイラ本体と、前記ボイラ本体に空気を供給する送風機と、前記送風機の回転数を制御するインバータと、前記インバータに電力を供給する電源と、前記インバータの出力を制御すると共に前記電源の瞬時電圧低下を検知する制御部と、前記電源の瞬時電圧低下が生じた場合に前記制御部に電力を供給するバックアップ電源と、を備え、前記制御部は、前記電源の瞬時電圧低下を検知したとき、前記送風機をフリーラン状態とし、前記電源の瞬時電圧低下から復帰した後に前記送風機の回転数を上げることを特徴とする。
【０００８】
前記制御部は、前記電源の出力電圧が所定の閾値より小さいことを検知することによって、前記電源の瞬時電圧低下を検知してもよい。
【０００９】
前記制御部は、前記電源の電圧復帰後から所定の時間経過後に、前記インバータの出力を制御することによって前記送風機の回転数を上げてもよい。
【００１０】
前記制御部は、前記インバータの動作不可信号を検知することによって、前記電源の瞬時電圧低下を検知してもよい。
【００１１】
前記制御部は、前記インバータの前記動作不可信号を検知してから所定の時間が経過した後、前記インバータの出力を制御することによって前記送風機の回転数を上げてもよい。
【発明の効果】
【００１２】
本発明によれば、瞬時電圧低下が発生した場合でも燃焼を継続することができるボイラを提供することができる。
【図面の簡単な説明】
【００１３】
【図１】本発明の実施の形態１に係るボイラの全体構成図である。
【図２】本発明の実施の形態１に係るボイラの制御のタイミングチャートの一例を示す図である。
【図３】本発明の実施の形態２に係るボイラの制御のタイミングチャートの一例を示す図である。
【発明を実施するための形態】
【００１４】
以下、本発明の実施の形態について、添付の図面を参照しながら説明する。また、各図においては、説明を容易なものとするため、各要素を誇張して示している。
【００１５】
（実施の形態１）
［全体構成］
図１は、本発明の実施の形態１に係るボイラ１０Ａの全体構成図である。図１では、実施の形態１に係るボイラ１０Ａと後述する実施の形態２のボイラ１０Ｂとが同じ構成を有するため、これらをまとめて符号「１０」として示している。また、図１において、破線は電気的配線を示し、実線は空気供給ラインを示す。なお、本明細書において、「ライン」とは、流路、経路、管路などの総称である。
【００１６】
図１に示すように、ボイラ１０Ａは、ボイラ本体１１、送風機１２、インバータ１３、電源１４、制御部１５、及びバックアップ電源１６を備える。
【００１７】
ボイラ本体１１は、燃焼を行うことにより缶体内の水を加熱して蒸気を発生させる設備である。具体的には、ボイラ本体１１内に供給された燃料がバーナーにより燃焼される。この燃焼により発生した燃焼ガスが、缶体内部の水を加熱し、蒸気を発生させている。
【００１８】
送風機１２は、空気供給ラインを介してボイラ本体１１に燃焼用空気を供給する。送風機１２は、モータを駆動させることにより、モータに接続された羽根車（ファン）を回転させて燃焼用空気をボイラ本体１１に供給している。送風機１２のモータの回転数は、インバータ１３の出力によって制御される。
【００１９】
インバータ１３は、送風機１２と電気的に接続されており、送風機１２のモータの回転数を制御している。インバータ１３は、送風機１２のモータの回転数を制御することによって、送風機１２からボイラ本体１１へ供給する空気の供給量を制御している。インバータ１３は、内部にコンデンサを有している。コンデンサには、電荷が蓄えられている。そのため、インバータ１３は、電源１４からの電力の供給が減少又は停止しても、コンデンサの電荷を使用して、一定時間動作可能である。即ち、電源１４の瞬時電圧低下が生じても、インバータ１３は、コンデンサの電荷を使用して、送風機１２を一定時間駆動させることができる。
【００２０】
電源１４は、インバータ１３と電気的に接続されており、インバータ１３に電力を供給している。電源１４は、例えば、ＡＣ２００Ｖの電源である。また、電源１４は、バックアップ電源１６を介して制御部１５に電気的に接続されており、制御部１５に電力を供給している。
【００２１】
制御部１５は、インバータ１３とバックアップ電源１６とに電気的に接続されている。制御部１５は、インバータ１３の出力（周波数）を制御している。また、制御部１５は、電源１４の瞬時電圧低下時にバックアップ電源１６から電力を供給される。実施の形態１において、制御部１５は、電源１４の瞬時電圧低下を検知する検知手段を有している。検知手段は、電源１４の電圧が所定の閾値より小さくなったときに、瞬時電圧低下を検知している。例えば、検知手段は、電源１４の電圧がＡＣ１４０Ｖより小さくなったときに瞬時電圧低下を検知している。また、検知手段は、電圧低下後、電源１４の電圧がＡＣ１４０Ｖ以上になったことを検知することによって、電源１４の電圧が復帰したことを検知している。
【００２２】
バックアップ電源１６は、電源１４の瞬時電圧低下時に制御部１５に電力を供給する。
【００２３】
なお、本明細書において、電源１４の「瞬時電圧低下」とは、所定の時間以下の電圧低下を意味する。実施の形態１では、０．２秒以下の期間で電源１４の電圧がＡＣ１４０Ｖより小さくなる電圧低下を意味する。
【００２４】
［瞬時電圧低下時の制御］
瞬時電圧低下時におけるボイラ１０Ａの制御について、図２を用いて説明する。図２は、ボイラ１０Ａの制御のタイミングチャートの一例を示す。
【００２５】
図２に示すように、制御部１５は、電源１４の瞬時電圧低下を検知する。具体的には、制御部１５の検知手段によって、電源１４の電圧がＡＣ１４０Ｖより小さくなったことを検知する。
【００２６】
制御部１５の検知手段により電源１４の瞬時電圧低下を検知すると、制御部１５は、インバータ１３を制御し、送風機１２をフリーラン状態にしている。フリーラン状態とは、送風機１２のモータとインバータ１３とを同期せずに、送風機１２のファンを自由に回転させている状態を意味する。フリーラン状態においては、インバータ１３と同期させていないため、即ち、インバータ１３からの電力供給がないため、インバータ１３のコンデンサに蓄えられている電荷の消費を低減することができる。このように、制御部１５は、瞬時電圧低下が生じた場合、送風機１２をフリーラン状態にすることにより、インバータ１３のコンデンサの電荷の消費を抑えつつ、送風機１２からボイラ本体１１へ燃焼用空気を継続して送風することができる。なお、フリーラン状態において、送風機１２のモータの回転数は、時間の経過と共に下がっていく。
【００２７】
また、制御部１５は、瞬時電圧低下を検知すると、インバータ１３への指示を所定の指示周波数に設定している。所定の指示周波数とは、フリーランから復帰するときの送風機１２のモータの回転数、即ち減速した回転数に対応する周波数である。実施の形態１において、所定の指示周波数は、例えば、瞬時電圧低下が生じる前の燃焼時における周波数に対して６０％に設定されている。これにより、送風機１２のフリーランから復帰後、送風機１２のモータの回転数とインバータ１３の周波数とを同期する動作を短い時間で行うことができる。
【００２８】
制御部１５は、電源１４の電圧復帰から所定の時間Ｔ経過した後に、インバータ１３の出力を制御することによって送風機１２の回転数を所定の指示周波数から増加させている（上げている）。「電源１４の電圧復帰」とは、電源１４の瞬時電圧低下から復帰することを意味し、実施の形態１では電源１４の電圧がＡＣ１４０Ｖ以上になることを意味している。所定の時間Ｔは、電源１４の電圧復帰後に送風機１２のフリーランを継続するフリーラン時間Ｔａ、フリーランから復帰後に送風機１２のモータの回転数とインバータ１３の周波数とを同期させるモータ同期時間Ｔｂ、及びモータ同期後に送風機１２の送風量を安定させる風量安定化時間Ｔｃを含む。実施の形態１において、所定の時間Ｔは、例えば、２秒以上であって、好ましくは、約２〜１０秒である。
【００２９】
フリーラン時間Ｔａにおいては、フリーランにより送風機１２のモータの回転数をインバータ１３の待機周波数近傍にまで減速させている。「待機周波数」は、ボイラ１０Ａの仕様に応じて所望の燃焼量に対応するように設定されるインバータ１３の周波数である。即ち、待機周波数とは、ボイラ１０Ａの仕様に応じて最大燃焼状態における燃焼量よりも小さい燃焼量に対応するように設定されたインバータ１３の周波数である。例として、ボイラ１０Ａが燃焼量を段階的に制御する段階値制御ボイラである場合について説明する。複数の燃焼状態を有する段階値制御ボイラでは、待機周波数は、２番目に大きい燃焼量に対応するように設定される。例えば、１番目に大きい燃焼量（最大燃焼量）を１００％とした場合、４段階の燃焼状態を有する（又は４位置制御の）段階値制御ボイラでは、待機周波数は、４０％以上６０％以下の燃焼量に対応するように設定されたインバータ１３の周波数である。３段階の燃焼状態を有する（又は３位置制御の）段階値制御ボイラでは、待機周波数は、２０％以上６０％以下の燃焼量に対応するように設定されたインバータ１３の周波数である。また、別の例として、ボイラ１０Ａが、燃焼量を連続的に制御する比例制御ボイラの場合について説明する。比例制御ボイラでは、待機周波数は、最大燃焼状態における燃焼量（１００％）に対して５０％以上７０以下の燃焼量に対応するように設定される。なお、待機周波数近傍とは、待機周波数±２０％の範囲を含む。
【００３０】
実施の形態１において、待機周波数は、インバータ１３の所定の指示周波数と同じ値、即ち、瞬時電圧低下が生じる前の燃焼時のインバータ１３の周波数に対して６０％に設定されている。したがって、フリーラン時間Ｔａは、送風機１２のモータの回転数が６０％近傍まで減速されるように設定されている。フリーラン時間Ｔａは、例えば、２〜５秒に設定されている。
【００３１】
また、電源１４の瞬時電圧低下から復帰した後、インバータ１３が動作可能となるまでに時間がかかる。そのため、フリーラン時間Ｔａにおいては、インバータ１３が動作可能となるまで、電源１４の電圧復帰後も送風機１２のフリーランを継続している。また、フリーラン時間Ｔａでは、送風機１２のフリーランを継続することによって、インバータ１３のコンデンサに蓄えられた電荷の消費を抑えつつ、ボイラ本体１１へ燃焼用空気を供給し続けることができる。
【００３２】
モータ同期時間Ｔｂにおいては、インバータ１３から所定の指示周波数の出力を行い（開始し）、送風機１２のモータの回転数とインバータ１３の周波数を同期している。モータ同期時間Ｔｂにおいて、送風機１２のモータの回転数とインバータ１３の周波数を同期することにより、インバータ１３によって送風機１２のモータの回転数を制御することができるようになる。
【００３３】
実施の形態１において、前述したように、制御部１５は、瞬時電圧低下を検知すると、インバータ１３への指示を所定の指示周波数、即ち６０％に設定している。また、フリーランから復帰するときの送風機１２のモータの回転数は、待機周波数近傍、即ち６０％近傍まで減速されている。このため、モータ同期時間Ｔｂの開始時において、送風機１２のモータの回転数は、インバータ１３の所定の指示周波数にできるだけ近い値になっている。これにより、送風機１２のモータの回転数とインバータ１３の周波数を短い時間で同期することができる。モータ同期時間Ｔｂは、例えば、０〜３秒に設定されている。
【００３４】
風量安定化時間Ｔｃは、モータ同期後に、送風機１２の送風量が安定するまで待機する期間である。風量安定化時間Ｔｃにおいては、送風機１２の送風量が安定するまで、インバータ１３の出力を６０％に維持して送風機１２のモータに接続されたファンを回転させている。風量安定化時間Ｔｃは、例えば、０〜２秒である。
【００３５】
制御部１５は、前述した所定の時間Ｔ経過後に、インバータ１３の出力を制御し、送風機１２のモータの回転数を加速している。具体的には、制御部１５は、インバータ１３の出力を上げ、送風機１２のモータの回転数を上げている。即ち、制御部１５は、インバータ１３の出力を所定の周波数から瞬時電圧低下前の値に戻し、送風機１２のモータの回転数を瞬時電圧低下前の値に戻している。
【００３６】
なお、制御部１５は、０．２秒より長い期間、電圧低下が生じている場合、瞬時電圧低下時の制御を停止する。即ち、電源１４の電圧がＡＣ１４０Ｖより小さくなっている期間が０．２秒より長い場合、制御部１５は、電源１４の停電が生じていると判断し、ボイラ本体１１の燃焼を停止する。制御部１５は、電圧低下が生じている時間を計測する計測手段を備えていてもよい。計測手段は、電圧低下が生じて復帰するまでの時間を計測する。これにより、瞬時電圧低下の判断を容易に行うことができる。
【００３７】
［効果］
実施の形態１に係るボイラ１０Ａによれば、以下の効果が得られる。
【００３８】
ボイラ１０Ａにおいては、瞬時電圧低下が発生した場合、インバータ１３を制御し、送風機１２をフリーラン状態にしている。このため、ボイラ１０Ａにおいては、瞬時電圧低下が生じた場合でも、送風機１２からボイラ本体１１へ燃焼用空気を供給し続けることができる。また、送風機１２をフリーラン状態にすることによって、インバータ１３のコンデンサに蓄えられた電荷の消費を抑えることができる。このため、ボイラ１０Ａにおいては、電源１４の瞬時電圧低下が生じた場合でも、送風機１２を駆動し続け、電源１４の瞬時電圧低下から復帰後にインバータ１３を制御し、送風機１２のモータの回転数を上げることができる。このように、ボイラ１０においては、瞬時電圧低下が発生した場合でも、送風機１２を停止させずに駆動し続けることによって、ボイラ本体１１において燃焼を継続することができる。
【００３９】
制御部１５は、電源１４の電圧が所定の閾値、即ち実施の形態１においてはＡＣ１４０Ｖより小さくなったときに、瞬時電圧低下を検知する検知手段を備えている。このように、制御部１５は、実際の電圧の変化を検知することにより、瞬時電圧低下をより正確に検知することができる。
【００４０】
制御部１５は、電源１４の電圧復帰から所定の時間Ｔ経過後に、送風機１２のモータの回転数を上げている。この所定の時間Ｔの間に、送風機１２をフリーラン状態にし、フリーラン状態から復帰後に送風機１２のモータの回転数とインバータ１３の出力（周波数）とを同期させることができ、更に、送風量を安定化させることができる。このような構成により、ボイラ１０Ａにおいては、所定の時間Ｔ経過後に、送風機１２のモータの回転数をスムーズに上げることができる。即ち、ボイラ１０Ａにおいては、瞬時電圧低下から復帰した後、瞬時電圧低下が生じる前の燃焼状態にスムーズに戻すことができる。
【００４１】
制御部１５は、瞬時電圧低下が生じたとき、インバータ１３への指示を所定の指示周波数に設定している。また、フリーラン時間Ｔａは、送風機１２のフリーランにより待機周波数近傍に減速する時間に設定されている。また、所定の指示周波数は、待機周波数と同じ値に設定されている。このような構成により、送風機１２のモータの回転数とインバータ１３の周波数を短時間で同期することができる。
【００４２】
なお、実施の形態１において、瞬時電圧低下について、０．２秒以下の期間で電源１４の電圧がＡＣ１４０Ｖより小さくなる電圧低下であると定義したが、これに限定されない。瞬時電圧低下の定義は、ボイラ１０Ａの設備環境又は電源１４の仕様等に応じて、電圧の大きさ、電圧低下の期間等を変更してもよい。
【００４３】
実施の形態１において、瞬時電圧低下が発生したとき、制御部１５は、インバータ１３への指示を所定の指示周波数として６０％に設定する例について説明したが、これに限定されない。この所定の指示周波数は、送風機１２のフリーラン復帰後のモータの回転数に近い周波数であればよく、ボイラ１０Ａの運転状況等に応じて変更してもよい。
【００４４】
実施の形態１において、所定の時間Ｔは、フリーラン時間Ｔａ、モータ同期時間Ｔｂ、及び風量安定化時間Ｔｃを含む例を説明したが、これに限定されない。例えば、所定の時間Ｔは、風量安定化時間Ｔｃを含まず、フリーラン時間Ｔａ及びモータ同期時間Ｔｂを含む時間としてもよい。これにより、所定の時間Ｔを短くすることができるため、より速く送風機１２の回転数を上げることができる。即ち、ボイラ本体１１の燃焼を、瞬時電圧低下前の燃焼状態により速く戻すことができる。
【００４５】
実施の形態１において、フリーラン時間Ｔａ、モータ同期時間Ｔｂ、及び風量安定化時間Ｔｃは、それぞれ例示の時間を示しており、これらの時間に限定されない。これらの時間は、ボイラの仕様、運転状況等に応じて変更してもよい。
【００４６】
実施の形態１において、インバータ１３は、瞬時電圧低下が生じたときに、制御部１５によって所定の指示周波数に設定される例について説明したが、これに限定されない。例えば、制御部１５は、フリーラン時間Ｔａの間に、インバータ１３への指示を所定の指示周波数に設定してもよい。
【００４７】
（実施の形態２）
本発明の実施の形態２に係るボイラについて、図３を参照して説明する。
【００４８】
図３は、実施の形態２に係るボイラ１０Ｂの制御のタイミングチャートの一例を示す。実施の形態２において、実施の形態１と同一又は同等の構成については同じ符号を付して説明する。また、実施の形態２では、実施の形態１と重複する記載は省略する。
【００４９】
実施の形態２では、瞬時電圧低下の検知をインバータ１３からの動作不可信号の検知により行うことによって、インバータ１３のコンデンサに蓄えられた電荷を消費するまで送風機１２の回転数を維持する点が、実施の形態１と異なる。
【００５０】
実施の形態２では、インバータ１３は、コンデンサに蓄えられた電荷を消費した場合に動作不可信号を出力する。「動作不可信号」とは、インバータ１３のコンデンサに蓄えられた電荷を消費し、インバータ１３が動作できなくなったことを示す信号である。インバータ１３は、電力不足で動作できなくなっている間、動作不可信号を出力し続ける。また、インバータ１３は、電源１４からの電力供給が回復し、動作できるようになったときに、動作不可信号の出力を停止する。
【００５１】
前述したように、インバータ１３は、電源１４の瞬時電圧低下によりインバータ１３への供給電力が低下しても、コンデンサに蓄えられた電荷を使用して、一定時間動作することができる。実施の形態２では、インバータ１３は、電源１４の瞬時電圧低下により供給電力が低下した場合、コンデンサに蓄えられた電荷を使用して、約０．１秒の間、送風機１２の回転数を維持することができる。
【００５２】
［瞬時電圧低下時の制御］
図３に示すように、電源１４の瞬時電圧低下が生じた場合、インバータ１３のコンデンサに蓄えられた電荷を使用して、瞬時電圧低下前の送風機１２のモータの回転数を維持した状態で一定時間（例えば、約０．１秒）駆動する。インバータ１３は、コンデンサの電荷を消費して動作できなくなったときに、動作不可信号を出力する。動作不可信号は、インバータ１３が動作できない状態が続いている間、出力され続ける。実施の形態２では、瞬時電圧低下が生じた場合、インバータ１３は、約１秒の間、動作不可信号を出力し続ける。
【００５３】
制御部１５は、インバータ１３から出力された動作不可信号を検知する。制御部１５は、動作不可信号を検知すると、送風機１２をフリーラン状態にし、フリーラン時間Ｔｄに移行する。また、制御部１５は、動作不可信号を検知すると、インバータ１３への指示を所定の指示周波数に設定する。実施の形態２では、所定の指示周波数は、実施の形態１と同様に、電源１４の瞬時電圧低下の前の燃焼時における周波数に対して６０％とする。
【００５４】
実施の形態２では、フリーラン時間Ｔｄは、制御部１５が動作不可信号を検知してから所定の時間経過後に終了する。言い換えると、フリーラン時間Ｔｄは、制御部１５が動作不可信号を検知したときから始まり、インバータ３からの動作不可信号を検知しなくなり、且つモータの回転数が所定の回転数近傍（例えば、６０％）に達するまで継続する。なお、フリーラン時間Ｔｄは、モータの仕様などに応じて設定される。実施の形態２では、フリーラン時間Ｔｄは、例えば、２〜５秒に設定されている。
【００５５】
実施の形態２では、モータ同期時間Ｔｂ及び風量安定化時間Ｔｃの動作は、実施の形態１と同様のため、説明を省略する。
【００５６】
制御部１５は、フリーラン時間Ｔｄにおいて送風機１２のフリーラン動作、モータ同期時間Ｔｂにおいてモータ同期、及び風量安定化時間Ｔｃにおいて風量安定化の動作を終えた後、インバータ１３の周波数を所定の指示周波数から増加させて（上げて）、送風機１２のモータの回転数を上げている。
【００５７】
［効果］
実施の形態２に係るボイラ１０Ｂによれば、以下の効果が得られる。
【００５８】
ボイラ１０Ｂにおいては、瞬時電圧低下の検知をインバータ１３の動作不可信号の検知により行っている。このような構成により、瞬時電圧低下が生じた場合でも、インバータ１３のコンデンサに蓄えられた電荷を消費するまで送風機１２の回転数を維持することができる。即ち、ボイラ１０Ｂにおいては、瞬時電圧低下が生じた場合でも、送風機１２からボイラ本体１１への燃焼用空気の供給量を一定時間維持することができる。その結果、ボイラ１０Ｂにおいては、瞬時電圧低下が生じた場合、実施の形態１と比べて燃焼効率の低減を抑えつつ、燃焼を継続することができる。
【００５９】
なお、実施の形態２において、制御部１５は、動作不可信号を検知してから所定の時間経過した後、インバータ１３の出力を制御して、送風機１２のモータの回転数を上げる例について説明したが、制御部１５は、動作不可信号を検知しなくなった後、インバータ１３の出力を制御して、送風機１２のモータの回転数を上げてもよい。このような構成により、インバータ１３の動作状況に応じて送風機１２の動作を制御することができる。そのため、ボイラ１０Ｂにおいては、実施の形態１に比べて、より短い時間で瞬時電圧低下前の燃焼状態に戻すことができる。
【００６０】
本発明をある程度の詳細さをもって実施の形態において説明したが、実施の形態の開示内容は構成の細部において変化してしかるべきものであり、実施の形態における要素の組合せや順序の変化は請求された本発明の範囲及び思想を逸脱することなく実現し得るものである。
【産業上の利用可能性】
【００６１】
本発明は、瞬時電圧低下が生じた場合に燃焼を継続させるボイラに有用である。
【符号の説明】
【００６２】
１０、１０Ａ、１０Ｂ  ボイラ
１１  ボイラ本体
１２  送風機
１３  インバータ
１４  電源
１５  制御部
１６  バックアップ電源
【図１】
2017139904.tif 000003
【図２】
2017139904.tif 000004
【図３】
2017139904.tif 000005